(57)【特許請求の範囲】
【請求項１】
所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内において第２網状円筒体を構成する円の中心を基点として上部半円形収納室と下部半円形収納室との接面から所要角度の中心角を有し且つ弧面が下部半円形収納室の内周面と接する一対の扇形浮力体を形成し、該下部半円形収納室内における該扇形浮力体以外の部分（該扇形浮力体の下面と該下部半円形収納室の内周面との間）で形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼とから成る競艇場の円錐形ターンマークに接続される消波装置。
【発明の詳細な説明】
【技術分野】
【０００１】
この発明は、競艇場の円錐形ターンマークに接続される消波装置に関し、更に詳しくは、競艇場水面中央に設けられる２個の円錐形ターンマークに接続される円筒形消波装置の改良に関する。
【背景技術】
【０００２】
図１〜３に示す様に、競艇場においては、周囲を赤と白の警告色に交互に着色された２個の円錐形ターンマークＡが、競艇場のスタンド正面の水面に３００ｍの間隔で浮遊状態で繋留され、円錐形ターンマークＡの底面は、シャックル４０、チェーン４２等で約３．５ｍの水底のアンカーＥに固定されている。
【０００３】
そして各ターンマークＡには、夫々２０ｍ以内の長さと直径約６３０ｃｍを有する各１本の略円筒形網状消波装置をターンマーク接続金具で連結し、水面に浮遊状態とすることが競艇法（昭和２６年法律第２４２号）で義務づけられている。
【０００４】
従来提案されている競艇場の円錐形ターンマークに接続される消波装置としては、
【特許文献１】特開２００１―１６４５３６，
【特許文献２】特開２００１―１６４５３７，
【特許文献３】特開２００２―２０５６８４、
【特許文献４】特開２００４―２７６７４５、等があげられる。
【発明の開示】
【発明が解決しようとする課題】
【０００５】
（１）図１０〜１３に示す通り、公知の競艇場の円錐形ターンマークＡに夫々浮遊状態で接続された円筒形消波装置Ｇは、長さ２０ｍの連続ネット状外筒５０内に複数本の筒状小管（ポリエチレン発泡体）５２・・・を紐５４等で縛った束を、曳き入れ作業を数回繰返しており、直径や円形状を形成する構造物が一切設けられてなく、紐又は金属製バンド５４を円筒形消波装置Ｇの周囲に設け、その下方で略中央の該筒状小管５２内にはワイヤロープ５６、亜鉛メッキ鋼管５８を貫通して外形を整えているが、この製作作業は、全て手作業による組立てであるから、一つ一つの製品にばらつきが多く、規格寸法の再現性がない。
【０００６】
（２）競艇場においては、６隻のレース艇が競走水面を１周約３５秒で３周回一斉に競走し、直線区間では最高速度約８０〜８３ｋｍ／ｈの高速度で競走し、第１、２番ターンマークをターンし、楕円形を描きながら競走するが、第１、２番ターンマークの周辺で大きな波を起こし、その影響で捩れた該円筒形消波装置Ｇが喫水線に一直線を保持出来なくなり、消波効果が減少し、宣伝・広告等を有する該円筒形消波装置Ｇが蛇行し、水没するので、宣伝・広告等が無くなる。
【０００７】
（３）図１０、１１に示す通リ、該円錐形ターンマークＡに接続された該円筒形消波装置Ｇの両端部の連続ネット状外筒の仕上げは、折畳んで紐５４で縛る方式なので、商品価値が上がらない。
【０００８】
（４）更に該円錐形ターンマークＡと該円筒形消波装置Ｇとを接続するために、その中心部にワイヤロープ５６を貫通しているが、その両端でリングを作り、チェーン４２等で接続するため、該円錐形ターンマークＡに接触し易く、スパン混撚ロープ等で縛り、該円筒形消波装置Ｇの下部に係留バンド連結金具を設けているから、接触したレース艇を損傷し易い。
【０００９】
（５）該円錐形ターンマークＡの該円筒形消波装置Ｇに接続された筒状小管５２、５２・・・を紐、針金、インシュレーティング・ロック（絶縁性締め金）等で縛っているので耐久性が得られない。
【００１０】
（６）図１３に示す通り、該円錐形ターンマークＡの付近では、エンジンの回転を上げ下げするので、水質はガソリンとオイルの混合物で汚染され、しかも浮力体である円筒形消波装置Ｇの耐薬品性、耐油性に限界があるので、経年変化により直径が減少し（痩せる状態）、正常な喫水線が保持できず、２〜３年で沈みがちとなるので交換せざるをえない。
【００１１】
（７）同じく図１０〜１３において、該円錐形ターンマークＡに接続された該円筒形消波装置Ｇは、水面で蛇行やその両端が前後方向に上下動するので喫水線に一直線を保持できず、消波効果も不十分であり、その影響で該円筒形消波装置Ｇが水没するので宣伝・広告等が得られなくなる。
【００１２】
（８）そして公知の競艇場の該円錐形ターンマークＡの該円筒形消波装置Ｇは、それを旋廻競走する６隻のレース艇の波浪を受けて両端が沈み易く、しかも長手方向に回転し易い。
【００１３】
（９）公知の競艇場の該円錐形ターンマークＡの該円筒形消波装置Ｇを海水の競艇場水面に設置した場合、その底に牡蠣が付着して増殖するので、その重量で浮力が減少して水没し、牡蠣の除去作業が海水面であるから難工事となる。
【課題を解決するための手段】
【００１４】
この発明は、前述の課題を解決するものであり、その要旨は、所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内において第２網状円筒体を構成する円の中心を基点として上部半円形収納室と下部半円形収納室との接面から所要角度の中心角を有し且つ弧面が下部半円形収納室の内周面と接する一対の扇形浮力体を形成し、該下部半円形収納室内における該扇形浮力体以外の部分（該扇形浮力体の下面と該下部半円形収納室の内周面との間）で形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼とから成る競艇場の円錐形ターンマークに接続される消波装置である。
【発明の効果】
【００１５】
（１）この発明に係る競艇場の円錐形ターンマークに接続される円筒形消波装置は、円筒形ブロック内の上部半円形収納室内に複数本の消波円筒管を収納し、下部半円形収納室内の一対の扇形浮力体が扇形水室内の水を挟込む作用をし、その回転を防止し、下部の逆Ｕ字形溝形鋼により円筒形消波装置の直線性を保持し、消波装置周辺に起こる波を確実に減衰、消波する効果を有し、その宣伝・広告等の効果が損なわれない。
【００１６】
（２）加えて競艇場の円錐形ターンマークに接続される消波装置によれば、該円筒形消波装置を海水の競艇場水面に設置した場合でも、該消波装置の外周面下部長手方向に一体に設けられた逆Ｕ字形溝形鋼の底に牡蠣が付着し難くなり、仮に牡蠣が付着してもその除去作業が容易となる。
【００１７】
（３）前述の様に、この発明に係る競艇場の円錐形ターンマークの消波装置は、隣接する該円筒形消波ブロック同士をジョイントにより接続し、該円筒形消波装置の周囲に連結金具やロープ等を設けていないから、仮に旋回航走するレース艇が衝突してもレース艇を損傷しない。
【００１８】
（４）最後にこの発明に係る円筒形消波装置の両端の円筒形消波ブロックに夫々エンドカバーを第２網状円筒体にボルトにより固着し、一体に設けたので、接触機会の多い円錐形ターンマークの損傷や破損を軽減する。
【発明を実施するための最良の形態】
【００１９】
この発明の競艇場における円錐形ターンマークに接続される消波装置を実施するための最良の形態は、第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内において第２網状円筒体を構成する円の中心を基点として上部半円形収納室と下部半円形収納室との接面から所要角度の中心角を有し且つ弧面が下部半円形収納室の内周面と接する一対の扇形浮力体を形成し、該下部半円形収納室内における該扇形浮力体以外の部分（該扇形浮力体の下面と該下部半円形収納室の内周面との間）で形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼と、ターンマーク接続金具とから成る競艇場の円錐形ターンマークに接続される消波装置である。
【実施例】
【００２０】
図１〜３において、請求項１記載の発明に係る競艇場の円錐形ターンマークに接続される円筒形消波装置の実施例を説明する。前述の通リ、競艇場水面中央に設けられる２個の円錐形ターンマークＡ、Ａは、周囲を赤と白の警告色に交互に着色されたもので、３００ｍの間隔で水面にチェーン４０により水底のアンカーＥに浮遊状態で繋留されている。
【００２１】
図４に示す様に、該各円錐形ターンマークＡに接続される円筒形消波装置Ｂは、競艇場のスタンド正面の水面に２０ｍ以内の長さと直径６３０ｃｍを有するポリエチレン又はポリエステル製第１網状（メッシュネット等）円筒体１０内に、それと同じ長さとそれよりやや小径の直径を有する第２網状円筒１２を収納して円筒形ブロックＤとする。
【００２２】
該第２網状円筒体１２内の上半部に上部半円形収納室１４ａを、下半部に下部半円形収納室１４ｂを夫々形成する。
【００２３】
該上部半円形収納室１４ａ内にそれと同じ長さと、それより相当狭い直径を有する複数本の消波円筒管１６（メッシュ、ネット等）を収納する。
【００２４】
図２〜４に示す様に、該下部半円形収納室１４ｂ内において、第２網状円筒体１２を構成する円の中心を基点Ｐとして、上部半円形収納室１４ａと下部半円形収納室１４ｂとの接面１５から所要角度、例えば２５°の中心角αを有し、かつ、弧面が下部半円形収納室１４ｂの内周面１４ｎと接する一対の扇形浮力体１８，１８を形成し、該下部半円形収納室１４ｂ内における該扇形浮力体１８，１８以外の部分、すなわち該扇形浮力体１８，１８の下面１８ａと該下部半円形収納室１４ｂの内周面１４ｎとの間に、大きな扇形水室２０が形成される。
【００２５】
図４、５に示す様に、該円筒形ブロックＤの該第１網状（メッシュ、ネット等）円筒体１０の両端に、所要幅と直径を有する一対の金属製リング２２、２２を嵌合する。
隣接する該円筒形消波ブロックＤ、Ｄ同士の連結は、該円筒形消波ブロックＤの両端に嵌合される該金属製リング２２、２２の内周にアングル・バー・ジョイント２６（直角継ぎ板）を固着し、該アングル・バー・ジョイント２６の隣接辺２６ａに穿設した両方のボルト貫通孔２６ｂ、２６ｂ内にボルト２６ｃ、２６ｃ、ナット２６ｄ、２６ｄを介して順次所要長さに連結して、所要長さを有する円筒形消波装置Ｂとする。
【００２６】
図２において、該円筒形消波装置Ｂの両端の該円筒形消波ブロックＤ、Ｄに夫々エンドカバー２４、２４を一体に設け、該円筒形消波装置Ｂの外周面下部長手方向に逆Ｕ字形溝形鋼２８を一体に設ける。
【図面の簡単な説明】
【００２７】
【図１】この発明に係る競艇場の円錐形ターンマークに接続された円筒形消波装置の実施例の正面略図；
【図２】図１に示す円錐形ターンマークと円筒形消波装置の右側部分正面略図；
【図３】図２に示す円錐形ターンマークと円筒形消波装置を上から見た部分平面略図；
【図４】図２に示す円筒形消波装置のＩＶ―ＩＶ線拡大断面略図；
【図５】隣接する円筒形消波ブロック同士のジョイントによる連結を示す一部透視拡大部分断面略図；
【図６】図４に示す逆Ｕ字形溝形鋼の拡大側面略図；
【図７】図４に示す逆Ｕ字形溝形鋼の部分拡大正面略図；
【図８】図２に示すエンドカバーの拡大正面略図；
【図９】図２に示すエンドカバーの拡大側面略図；
【図１０】公知の円錐形ターンマークに接続される円筒形消波装置の部分拡大正面略図；
【図１１】図１０に示す公知の円筒形消波装置のＸＩＩ―ＸＩＩ線断面略図；
【図１２】公知の円錐形ターンマークに接続された円筒形消波装置の先端部の部分拡大正面略図；
【図１３】公知の円錐形ターンマークに接続された円筒形消波装置の先端部の直径が縮小して水没し、宣伝・広告等が見えなくなった状態を示す斜視図。
【符号の説明】
【００２８】
Ａ・・・円錐形ターンマーク；
Ｂ・・・この発明に係る円筒形消波装置；
Ｄ・・・円筒形消波ブロック；
Ｅ・・・アンカー；
Ｆ・・・ターンマーク接続金具；
Ｇ・・・公知の円筒形消波装置；
Ｐ・・・基点（＝第２網状円筒体を構成する円の中心）；
α・・・（扇形浮力体の）中心角；
１０ ・・・ 第１網状円筒体；
１２ ・・・ 第２網状円筒体；
１４ａ・・・上部半円形収納室；
１４ｂ ・・・下部半円形収納室；
１４ｎ・・・（下部半円形収納室の）内周面；
１５・・・（上部半円形収納室と下部半円形収納室との）接面；
１６・・・消波円筒管；
１８・・・扇形浮力体；
１８ａ・・・（扇形浮力体の）下面；
２０・・・扇形水室；
２２・・・金属製リング；
２２ａ・・・金属性リングのボルト貫通孔；
２４・・・エンドカバー；
２６・・・ジョイント；
２６ａ・・・ジョイントの隣接片；
２６ｂ・・・ジョイントのボルト貫通孔；
２６ｃ・・・ボルト；
２６ｄ・・・ナット；
２８・・・逆Ｕ字形溝形鋼；
２８ａ・・・天板；
２８ｂ・・・ボルト貫通孔；
２８ｃ・・・側板；
２８ｄ・・・貫通孔
４０・・・シャックル；
４２・・・チェーン；
５０・・・連続ネット状外筒；
５２・・・筒状小管；
５４・・・紐又は金属製バンド；
５６・・・ワイヤロープ；
５８・・・亜鉛メッキ鋼管。
６０・・・係留バンド；
【図４】
0005097101.tif 000002
【図１】
0005097101.tif 000003
【図２】
0005097101.tif 000004
【図３】
0005097101.tif 000005
【図５】
0005097101.tif 000006
【図６】
0005097101.tif 000007
【図７】
0005097101.tif 000008
【図８】
0005097101.tif 000009
【図９】
0005097101.tif 000010
【図１０】
0005097101.tif 000011
【図１１】
0005097101.tif 000012
【図１２】
0005097101.tif 000013
【図１３】
0005097101.tif 000014